(57)【要約】本発明の１つの局面は、植物および／または他の生物の成長を促進するための電気システムに関する。このシステムは、本体、１本以上の導電性ワイヤ、および電流源を備える。この本体は、１ランナー当たり少なくとも２回の完全な回転に配置された２本の螺旋状に巻かれた交絡ランナーを備える。第１ランナーは、ストラットによって第２ランナーに結合されている。この本体は外周を有する。この本体は、植物体の周りまたは近傍に設置される。この第１ワイヤは、第１ランナーによって保持される。この第１ワイヤは導電性である。この電流源は、少なくとも２本のリード線と電気的に結合して、第１ランナーに沿って第１ワイヤを通る第１電流をもたらすように配置される。
2015508637.tif 000002
【特許請求の範囲】
【請求項１】
植物の成長を促進するための電気システムであって、該システムは、
１ランナー当たり少なくとも２回の完全な回転で配置された２本の螺旋状に巻かれた交絡ランナーを含む本体であって、ここで、第１ランナーがストラットによって第２ランナーに結合されており、該本体は、外周を有し、該本体は、植物の周りまたは近傍に設置されている、本体と；
該第１ランナーによって保持される第１ワイヤであって、該第１ワイヤが導電性である、第１ワイヤと；
該第１ワイヤの２本のリード線と電気的に結合して、該第１ランナーに沿って該第１ワイヤを通る第１電流をもたらすように配置された電流源であって、ここで、該電流源は、該本体の外周内または該本体の外周近傍に配置された該植物の成長を促進する電磁場が該本体内または該本体近傍に作られるように、該第１ワイヤを通る該第１電流をもたらすように構成されている、電流源と、
を備える、システム。
【請求項２】
前記第１ワイヤが前記第２ランナーによってさらに保持されており、ここで、該第１ワイヤは、前記第１ランナーおよび該第２ランナーの両方の周りに螺旋状に巻かれている、請求項１に記載のシステム。
【請求項３】
前記第１ワイヤが前記第１ランナーと一致する軸を有する螺旋形状に配置されるように前記第１ワイヤが前記本体の前記第１ランナーの周りに螺旋状に巻かれている、請求項１に記載のシステム。
【請求項４】
前記第１ワイヤを通る前記第１電流が交流電流であるように前記電流源が構成されており、ここで、該交流電流が０Ｈｚから２０ｋＨｚまでの間の周波数を有し、そして該交流電流が約２５０ｍＡ未満である、請求項１に記載のシステム。
【請求項５】
前記第１ワイヤを通る前記第１電流が、ヒトの聴覚知覚感度の範囲内の周波数を有する交流電流であるように前記電流源が構成されている、請求項１に記載のシステム。
【請求項６】
約１２Ｖの根平均平方電圧が前記第１ワイヤの前記２本のリード線に供給されるように前記電流源が構成されている、請求項１に記載のシステム。
【請求項７】
前記第２ランナーによって保持される第２ワイヤをさらに備え、ここで、該第２ワイヤは導電性であり、該第２ワイヤの２本のリード線と電気的に結合して、該第２ランナーに沿って該第２ワイヤを通る第２電流をもたらすように該第２電流源が配置されており、前記電磁場が変更されるように該第２ワイヤを通る該第２電流をもたらすように該第２電流源が構成されている、請求項１に記載のシステム。
【請求項８】
前記第２ワイヤが前記第２ランナーと一致する軸を有する螺旋形状に配置されるように、前記第２ワイヤが前記本体の該第２ランナーの周りに螺旋状に巻かれている、請求項７に記載のシステム。
【請求項９】
前記第２電流源は、前記電流源と同じである、請求項７に記載のシステム。
【請求項１０】
前記第１電流と前記第２電流とが同じ方向に流れる、請求項７に記載のシステム。
【請求項１１】
前記第１電流と前記第２電流とが異なる方向に流れる、請求項７に記載のシステム。
【請求項１２】
前記植物は、沈んだ状態で繁殖する植物を含み、前記システムは、その中に植物を沈める流体を収容するように構成されたタンクをさらに備え、ここで、前記本体は、作られた電磁場が該タンク内に収容された該流体内の植物の成長を促進するように、該タンク内または該タンク近傍に配置される、請求項１に記載のシステム。
【請求項１３】
植物の成長を促進するための方法であって、該方法は、
植物の周りまたは近傍に本体を設置することであって、該本体は、
１ランナー当たり少なくとも２回の完全な回転に配置された２本の螺旋状に巻かれた交絡ランナーであって、第１ランナーがストラットによって第２ランナーに結合されている、交絡ランナーと；
該第１ランナーによって保持される第１ワイヤであって、該第１ワイヤが導電性である、第１ワイヤと；
該第１ワイヤの２本のリード線と電気的に結合して、第１ランナーに沿って該第１ワイヤを通る第１電流をもたらすように配置された電流源と；
を備える、ことと；
該本体内または該本体近傍に配置された該植物の成長促進を引き起こす電磁場が該本体内および該本体近傍に作られるように該第１ワイヤに該第１電流を供給することと
を含む、方法。
【請求項１４】
前記本体の前記第１ワイヤは、前記本体の前記第２ランナーによってさらに保持されており、ここで、該第１ワイヤは、前記第１ランナーおよび該第２ランナーの両方の周りに螺旋状に巻かれている、請求項１３に記載の方法。
【請求項１５】
前記第１ワイヤを通る前記第１電流が交流電流であるように前記電流源が構成されておりここで、該交流電流は、０Ｈｚから２０ｋＨｚまでの間の周波数を有する、請求項１３に記載の方法。
【請求項１６】
前記本体は、前記第２ランナーによって保持される第２ワイヤをさらに備えており、ここで、該第２ワイヤは、導電性であり、前記電流源は、該第２ワイヤの２本のリード線と電気的に結合して、前記電磁場が変更されるように該第２ランナーに沿って該第２ワイヤを通る第２電流をもたらすようにさらに構成されている、請求項１３に記載の方法。
【請求項１７】
前記電磁場が変更されるように、前記第２ワイヤに前記第２電流を供給することをさらに含み、
ここで、前記第１電流と該第２電流とは、同じ方向に流れる交流電流である、請求項１６に記載の方法。
【請求項１８】
前記電磁場が変更されるように、前記第２ワイヤに前記第２電流を供給することをさらに含み、
ここで、前記第１電流と該第２電流とは、異なる方向に流れる交流電流である、請求項１６に記載の方法。
【請求項１９】
前記植物は、有意な電磁場を欠く成長条件下で典型的な成長速度を有し、ここで、前記成長の促進は、該典型的な成長速度よりも速い成長速度を含む、請求項１３に記載の方法。
【請求項２０】
前記植物は、有意な電磁場を欠く成長条件下で典型的な最大増殖レベルを有し、ここで、前記成長の促進は、該典型的な最大増殖レベルよりも大きい最大増殖レベルを含む、請求項１３に記載の方法。
【請求項２１】
前記植物は、有意な電磁場を欠く成長条件下で典型的な最大収率を有し、ここで、前記成長の促進は、該典型的な最大収率よりも大きい最大収率を含む、請求項１３に記載の方法。
【発明の詳細な説明】
【技術分野】
【０００１】
関連出願
本出願は、本明細書にその全体が参考として援用される、２０１２年１月２７日出願の「二重螺旋コンダクタの農業適用」との表題の米国特許出願第１３／３６０，５２２号の利益を主張する。この出願は、「二重螺旋コンダクタ」という表題で２０１１年８月１９日に出願された米国特許出願第１３／２１３，６０４号に関連している。この関連出願は、その全体が参照により本出願に援用される。
【０００２】
発明の分野
本発明は、周りに１本以上の導電性ワイヤが巻きつけられ得る螺旋状に巻かれたランナーとして構築された本体、そのような本体を備えるように構成された電気デバイスおよび／またはシステム、ならびにそれらの農業適用に関する。
【背景技術】
【０００３】
発明の背景
螺旋状に巻かれた電気コンダクタが一定の電磁特性を示すこと、および／または特定の電磁場を生成するために使用できることが知られている。例えば、電磁コイルは、インダクタおよび／または変圧器の一部として作用し得ることが知られており、電気回路において多くの確立された有用な用途がある。電磁コイルの適用は、例えば、アクティブ電流源にコイルが動作可能に連結されたときに作成された電磁場を利用することができる。
【発明の概要】
【課題を解決するための手段】
【０００４】
概要
本発明の一局面は、植物および／または他の生物の増殖を促進するための電気システムに関する。このシステムは、本体と、１本以上の導電性ワイヤと、電流源とを含む。本体は、１ランナー当たり少なくとも２回の完全な回転に配置された２つの螺旋状に巻かれた交絡ランナーを含む。第１ランナーは、ストラットによって、第２ランナーに連結されている。本体は外周を有する。本体は、植物の周りまたは近傍に設置されている。第１ワイヤは、第１ランナーによって保持される。第１ワイヤは導電性である。電流源は、第１ワイヤの２本のリード線と電気的に結合して、第１ランナーに沿って第１ワイヤを通る第１電流をもたらすように配置されている。電流源は、本体の外周内または外周近傍に配置された植物の成長を促進する電磁場が本体内および本体の周りに作られるように、第１ワイヤを通る第１の電流をもたらすように構成されている。
【０００５】
本発明の一局面は、植物および／または他の生物の成長を促進するための方法に関する。方法は、植物の周囲または近傍に本体を設置し、電磁場が本体内またはその近傍の植物の成長の促進を引き起こす本体内および近傍に形成されるように、本体に電流を供給することを含む。本体は、２本の螺旋状に巻かれた交絡ランナー、ワイヤ、および電流源を含む。２本のランナーはランナーあたり少なくとも２回の完全な回転に配置されている。第１ランナーは、ストラットによって、第２ランナーに結合されている。該ワイヤは、第１ランナーによって保持される。該ワイヤは導電性である。該電流源は、ワイヤへの電流の供給のために、ワイヤの２本のリード線と電気的に結合して、少なくとも第１ランナーに沿ってワイヤを通る電流をもたらすように配置されている。
【０００６】
本開示のこれらおよび他の目的、特性、および特徴、並びに構造の関連する構成要素の動作および機能の方法、および製造の部材および経済の組合せは、添付図面を参照して以下の説明および添付の特許請求の範囲を考慮するとより明らかになるであろう。これらのすべては本明細書の一部を形成し、ここで、同様の参照番号は、様々な図面において対応する部材を示す。しかし、図面は例示および説明のみを目的とし、何らかの限定の定義であることは意図されないことが明確に理解されるべきである。明細書および請求項において使用される場合、単数形の「ａ」、「ａｎ」および「ｔｈｅ」は、文脈がそうでないことを明確に指示しない限り、複数の指示対象を含む。
【図面の簡単な説明】
【０００７】
【図１】図１は、一つ以上の実施形態による、植物の成長を促進するためのシステムを模式的に図示する。
【図２】図２は、一つ以上の実施形態による、植物の成長を促進するためのシステムを模式的に図示する。
【図３】図３は、１つ以上の実施形態による、植物の成長を促進するための方法を図示する。
【図４】図４は、１つ以上の実施形態による、特定の植物の成長を促進するためのシステムを図示する。
【発明を実施するための形態】
【０００８】
詳細な説明
図１は、１つ以上の実施形態による、植物１４の成長を促進するためのシステム１０を図示する。システム１０は、本体８５、第１ワイヤ８６、電流源１１、および／または他の構成要素を備える。単一の実体としての植物１４の描写は、限定することを意味するわけではない。植物１４は、一つ以上の植物および／または他の生物を含むことができる。例えば、植物１４としては、食用および／または商業用の作物が挙げられ得る。いくつかの実施形態では、植物１４は、藻類（一種以上のタイプ）を含んでもよい。
【０００９】
図１のシステム１０の本体８５は、同一の（円形の）軸を共有する、２本の螺旋状に巻かれた交絡ランナー（ランナー８８およびランナー８９）を備え、この２本の螺旋状に巻かれた交絡ランナーは、ストラット９０によって結合されており、かつ一方または両方のランナーの周りに螺旋状に巻かれた１本以上の導電性ワイヤを有する。換言すれば、本体８５のランナー８８およびランナー８９はコアを形成し、このコアの周りには、ワイヤ８６およびワイヤ８７がそれぞれ螺旋状に巻かれる。図１に示すように、本体８５は、２つのワイヤ（ワイヤ８６およびワイヤ８７）を備える。いくつかの実施形態では、システム１０は、１本のランナー、３本のランナー、および／または別の数のランナーを備える。
【００１０】
図１の本体８５のランナー８８およびランナー８９とシステム１０は、螺旋と同じかまたは実質的に同じ三次元曲線の形状に、その端部を一緒に屈曲させて配置されている。なお、本体８５の形状は、ＤＮＡの一般的な形状に似ていることに留意されたい。ランナーの断面の形状は、円形、楕円形、正方形、三角形、四角形、角型、多角形、および／または他の形状のうちの一つ以上を含むことができる。ランナーの断面の幅と高さは実用的な目的のために制限されてもよい。例えば、本明細書に記載の目的のために、いくつかの実施形態では、例えば図１に示すように、本体８５の外周内に利用可能なスペースが存在するように本体８５を配置することが好ましい場合がある。図１に示すように、ランナー８８およびランナー８９の断面形状は円形である。本開示の実施形態は、所与の実施例のいずれによっても限定されることを意図するものではないことに留意されたい。
【００１１】
図１のシステム１０のランナー８８、ランナー８９および／またはストラット９０を、プラスチック、金属（銅、ニッケル、鉄、軟鉄、ニッケル合金が挙げられる）でメッキしたプラスチック、ならびに／または他の金属および合金、ならびに／または他の材料のうちの１つ以上から製造することができる。いくつかの実施形態では、ランナー８８、ランナー８９およびストラット９０は、非導電性材料から製造される。ランナー８８、ランナー８９、およびストラット９０は、異なる材料から製造することができる。ランナー８８、ランナー８９、およびストラット９０は、一体構築により製造されてもよく、または組み立てられる前に別々に形成されてもよい。この先の陳述は、本体の製造（のプロセス）を本体８５と類似または実質的に同じものに限定することを決して意図するものではない。
【００１２】
図１を言及すると、ワイヤ８６およびワイヤ８７は、本明細書に含まれる任意の図に記載されている任意のワイヤと同様に、絶縁されていてもよく、絶縁されていなくてもよく、または部分的に絶縁され、部分的に絶縁されていなくてもよい。
【００１３】
図１のシステム１０の本体８５の形状は、一般的に円環状（ｔoｒｏｉｄａｌ）であり得る。いくつかの実施形態では、システム１０の本体は、円形、多角形、および／または他の形状を含め、任意の平面形状に配置されてもよい。あるいは、および／または同時に、本体８５のような本体は、三次元曲線（別名、空間曲線）に配置されてもよい。本体８５のランナー８８およびランナー８９は、ワイヤ８６およびワイヤ８７がそれぞれ螺旋状に巻かれたコアを形成してもよい。このように、ワイヤ８６およびワイヤ８７はそれぞれ、ランナー８８およびランナー８９と一致する軸を有する螺旋形状に配置されてもよい。図１に示すように、ワイヤ８６および８７は、それらが本体８５のストラット９０のいずれかを一周するように、ならびに／またはストラット９０の１つとランナー８８および８９のうちの１つとの間の係合の任意の点を一周するように巻かれてもよい。ランナーの完全な回転ごとのワイヤのターン数および／または隣接するストラット間のワイヤのターン数は、本体８５の特徴的な尺度／特徴であり得る。図１においては、ワイヤ８６およびワイヤ８７は、それぞれ、ランナー８８およびランナー８９によって関連付けられた隣接するストラット間でほぼ３〜５ターン、および／またはいくつかの他のターン数を作るために配置されている。図１の描写は、例示であることを意図しており、決して限定することを意図していない。
【００１４】
ワイヤ８６は、２本のリード線（リード線８６ａおよびリード線８６ｂ）を含み得る。ワイヤ８７は、２本のリード線（リード線８７ａおよびリード線８７ｂ）を含むことができる。システム１０では、本体８５は、例えば、ワイヤ８６およびワイヤ８７の一方または両方との電気的結合が、例えば、電流源１１とワイヤ８６のリード線８６ａおよび８６ｂを通して確立されるように、ならびに電流源１２とワイヤ８７のリード線８７ａおよび８７ｂとの結合を通して確立されるように配置された１つ以上の電源および／または電流源（例えば、電流源１１および／または電流源１２）と電気的に結合されている。ワイヤ８６に供給される電流は、直流電流であってもよく、または交流電流であってもよい。ワイヤ８７に供給される電流は、直流電流であってもよく、または交流電流であってもよい。ワイヤ８６およびワイヤ８７に供給される電流は、同じ方向または反対方向に流れることができる。
【００１５】
交流電流については、０Ｈｚから１００ＧＨｚまでの範囲の動作周波数が企図される。１ｐＡから１０Ａまでの動作電流が企図される。１ｍＶから２０ｋＶまでの範囲の動作電圧が企図される。一部の実施形態では、約１２Ｖの根平均二乗電圧がワイヤ８６に供給される。好ましい実施形態では、ワイヤ８６に供給される交流電流の周波数は０Ｈｚから２０ｋＨｚまでの間である。いくつかの実施形態では、電流は約１ｐＡ未満、約１ｎＡ未満、約１ｍＡ未満、約１００ｍＡ未満、約２５０ｍＡ未満、約５００ｍＡ未満、および／または他の量未満の電流である。ワイヤ８６およびワイヤ８７についての動作周波数は、同一であってもよく、または異なっていてもよい。ワイヤ８６およびワイヤ８７に供給される電流の他の電気的動作特性（例えば、位相）は、同一であってもよく、または異なっていてもよい。システム１０は、電力が本体８５の１本以上のワイヤに供給された場合に本体８５内におよび／または本体８５の周りに作られた電磁場を利用するために用いることができる。電磁場は、本体８５の外周内または外周近傍に配置された植物１４の成長を促進する。
【００１６】
図１中の本体８５と同様または図１中の本体８５と実質的に同一の本体を含む電気システム（したがって、ワイヤ８６およびワイヤ８７を含む）のいくつかの実施形態は、ワイヤ８７の電流とは逆方向に流れるワイヤ８６に電流を有するように構成されてもよい。いくつかの実施形態では１本のワイヤに供給される電流は、直流電流であってもよく、一方、別のワイヤに供給される電流は、交流電流であってもよい。
【００１７】
いくつかの実施形態では、システム１０は、本体８５と類似の、または本体８５と実質的に同じ、複数の本体を備えてもよい。これらの複数の本体のための電流は、１つ以上の電源および／または電流源によって供給されてもよい。
【００１８】
いくつかの実施形態では、システム１０の本体８５の形状は、複数の植物および／または他の生物の周りおよび／または近傍に配置されている。例えば、システム１０が構成され、ペトリ皿、プランター、（光）バイオリアクター、成長タンク、植栽作物の列、温室、植物の圃場、および／または植物を育てるために他の従来用いられる任意の配置を含むように配置することができる植物を育てるために配置され得る。したがって、本体８５は、本体８５の外周内に利用可能な空間の寸法が所定の寸法であるように構成することができる。いくつかの実施形態では、所定の寸法としては、直径１インチ、１フィート、３フィート、６フィート、および／または別の適切な寸法が挙げられる。
【００１９】
図２は、１つ以上の実施形態による、植物１４の成長を促進するためのシステム２０を図示する。システム２０は、本体９５、ワイヤ９６、電流源１１、および／または他の構成要素を備える。単一の実体としての植物１４の描写は、限定することを意味するわけではない。植物１４は、一つ以上の植物および／または他の生物を含むことができる。例えば、植物１４としては、食用および／または商業用の作物が挙げられ得る。いくつかの実施形態では、植物１４は、一種類以上のタイプの藻類および／または植物プランクトンを含んでもよい。例えば、植物１４は、（食用）海藻、スピルリナ、クロレラ、ならびに／またはバイオディーゼルおよび／もしくはバイオ燃料の製造に適したタイプの藻類を含んでもよい。
【００２０】
図２のシステム２０の本体９５は、同一の円形の軸を共有する、２本の螺旋状に巻かれた交絡ランナー（ランナー９７およびランナー９８）を備える。両方のランナーは、ストラットによって結合されている。ワイヤ９６は、本体９５の両ランナーの周りに螺旋状に巻かれている。一部の実施形態では、システム２０は、１本のランナー、３本のランナー、および／または別の数のランナーを備える。ワイヤ９６は、絶縁されていてもよく、絶縁されていなくてもよく、または部分的に絶縁され、部分的に絶縁されていなくてもよい。ワイヤ９６は、２本のリード線（リード線９６ａおよびリード線９６ｂ）を備えることができる。ワイヤ９６を備えた本体９５の結果の形状は、螺旋形状と呼ぶことができる。システム２０では、本体９５は、例えば、電流源１１とワイヤ９６のリード線９６ａおよび９６ｂとの結合を通してワイヤ９６との電気的結合が確立され得るように配置された、１つ以上の電源および／または電流源（例えば、電流源１１）に電気的に結合されている。ワイヤ９６に供給される電流は、直流電流であってもよく、または交流電流であってもよい。システム２０のランナーは、図１のシステム１０のランナーと類似であってもよく、または図１のシステム１０のランナーと実質的に同じであってもよい。
【００２１】
システム２０内の交流電流については、０Ｈｚから１００ＧＨｚまでの範囲の動作周波数が企図される。１ｐＡから１０Ａまでの動作電流が企図される。１ｍＶから１５ｋＶまでの範囲の動作電圧が企図される。いくつかの実施形態では、動作電圧は、特定の植物細胞の膜電位と合わせられる。いくつかの実施形態では、約１２Ｖの根平均平方電圧が、ワイヤ９６に供給される。好ましい実施形態では、ワイヤ９６に供給される交流電流の周波数は、０Ｈｚから２０ｋＨｚまでの間である。いくつかの実施形態では、電流は、約１ｐＡ、約１ｎＡ、約１ｍＡ、約５０ｍＡ、約１００ｍＡ、約２５０ｍＡ、約５００ｍＡ、および／または他の量の電流である。システム２０は、電力が本体９５の１本以上のワイヤに供給される場合に本体９５内および／または本体９５の周りに作られた電磁場を利用するために用いることができる。電磁場は、本体９５の外周内または近傍に配置された植物１４の成長を促進する。
【００２２】
いくつかの実施形態では、システム２０は、本体９５と類似の、または本体９５と実質的に同じ、複数の本体を備えてもよい。これらの複数の本体のための電流は、１つ以上の電源および／または電流源によって供給されてもよい。いくつかの実施形態では、システムは、本体８５と類似の、または本体８５と実質的に同一の一つ以上の本体と、本体９５と類似の、または実質的に同一の一つ以上の本体との組み合わせを含んでもよい。
【００２３】
図４は、１つ以上の実施形態による、特定の植物の成長を促進するためのシステム４０を図示する。特に、システム４０は、水中に沈んだ状態でおよび／または移動中に流体とともに移動しながら繁殖し得る植物（例えば藻類）の成長を促進するために使用されてもよい。システム４０は、タンク４１、胴体４２、一つ以上のポート４３、内管４４、螺旋コイル８５ａ、支持部材８５ｂ、および／または他の構成要素を備えることができる。螺旋コイル８５ａは、タンク４１内の適所に保持されてもよく、そして／または支持部材８５ｂによって物理的に支持されてもよい。例えば、支持部材８５ｂが棚を含んでもよい。ポンプ（図示せず）は、システム４０のタンク４１内の流体を循環させるために使用することができる。例えば、１つ以上のポンプに、複数のポート４３を通してシステム４０が動作可能に係合されてもよい。ポンプは、胴体４２の外周の近傍で流体および植物を上方に移動させ、そして内管４４を通って下方に戻すことができ、そして／またはその逆も可能である。胴体４２は、この循環に適応するために、内管４４よりも高くなる場合があることに留意されたい。いくつかの実施形態では、システム４０の高さは、約３フィートから約１０フィートまでの範囲、および／または他の適切な寸法であってもよい。システム４０は、例えば、タンク４１内の植物の成長を促進するために、１つ以上の光源（図４には示されていない）を備えることができる。いくつかの実施形態では、１つ以上の光源は、図４に示した要素のうちの１つ以上に埋め込まれてもよい。例えば、タンク４１の底部は、一つ以上の光源を含むことができる。
【００２４】
循環の一部として、流体および植物は、螺旋コイル８５ａの中心を通って移動することができ、この螺旋コイル８５ａは、図１に描写する本体８５に類似していてもよい。いくつかの実施形態では、システム４０は、流体および／または植物が螺旋コイル８５に直接接触しないように、（図４には示されていない）保護シェルを備えることができる。システム４０は、図１のシステム１０の説明した機能に類似する方法で、螺旋コイル８５ａ内および／または螺旋コイル８５ａの周りに特定の電磁場を生成するように構成された（図４には示されていない）ワイヤおよび（図１には示されていない）１つ以上の電流源を備えることができる。システム４０の方向は、図４に描写した例示的実施形態に限定されることを意図するわけではない。例えば、タンク４１は、水平に、垂直に、および／または斜めに配置されてもよい。タンク４１の角度は、光源（例えば、太陽）への最大の曝露を可能にするように調整され得る。いくつかの実施形態では、タンク４１と同様の複数のタンクは、調和した様式で配置および／または制御することができる。螺旋コイルを通して水を移動させるためのポンプを使用しておよび／または使用せずに、例えば、湖などのより大きい水体内で螺旋コイルを使用することが企図される。
【００２５】
例えば、本明細書のシステム１０およびシステム２０などの本明細書に記載のシステムのいずれかのための適用としては、植物および／または他の生物の成長および／または成長速度に影響を与えることが挙げられ得る。例えば、特定のタイプの植物は、有意な電磁場を欠く成長条件下で、典型的な成長速度、または典型的な成長速度の範囲を有することができる。この説明のために、有意な電磁場は、少なくとも所定の閾値レベルのテスラの電磁場と決定することができる。所定の閾値は、１ｐＴ、１ｎＴ、１ｍＴ、１０ｍＴ、１００ｍＴ、および／または別の閾値であってもよい。本明細書に記載の電気システムのいずれかを用いて、特定のタイプの植物の成長速度、または典型的な成長速度の範囲を、その特定の植物について、より高い成長速度、またはより高い増殖率の範囲へと増加させることができる。成長速度の単位は、インチ／日、または単位時間あたりの何らかの長さ、面積、体積、もしくはサイズを表現する別の単位、および／または別の適切な単位であってもよい。例えば藻類または適切な類似の植物を用いた実施形態のようないくつかの実施形態については、成長速度は、脂質生産速度、デンプン含量の生産速度、バイオマス含量の生産速度によって表現され得る。
【００２６】
例えば、ある特定のタイプの植物は、有意な電磁場を欠く成長条件下で、典型的な最大成長レベルを有していてもよい。本明細書に記載の電気システムのいずれかを用いて、特定のタイプの植物の最大成長レベルまたは典型的な最大成長レベルの範囲は、その特定の植物について、より高い最大成長レベルまたは最大成長レベルのより高い範囲まで増加させることができる。最大成長レベルは、インチ、平方インチ、リットル、キログラム、脂質含量、および／またはいくつかの長さ、面積、体積、重量、もしくはサイズを表現する別の単位、および／または別の適切な単位で表現することができる。
【００２７】
例えば、ある特定のタイプの植物は、有意な電磁場を欠く成長条件下で、典型的な最大収率を有していてもよい。本明細書に記載の電気システムのいずれかを用いて、その特定のタイプの植物の最大収率、または典型的な最大収率の範囲は、その特定の植物について、より高い最大収率、または最大収率のより高い範囲まで増加させることができる。最大収率は、面積および／または期間当たりの体積または重量で（例えば、キログラム／平方フィートとして、ポンド／エーカー／週として）および／または必要に応じた他の単位で表現され得る。
【００２８】
いくつかの実施形態では、記載したシステムのいずれかの適用は、例えば、システム１０またはシステム２０によって作られた電磁場に曝露された生物についての改善されたおよび／または増大したレベルのタンパク質生合成を活用することができる。
【００２９】
図３は、植物の成長を促進するための方法３００を図示する。以下に示す方法３００の動作は、例示であることを意図している。特定の実施形態では、方法３００は、記載されていない１つ以上の追加の操作を用いて、および／または説明された動作のうちの１つ以上を用いずに、達成することができる。さらに、図３に図示され、以下に記載されている方法３００の動作の順序は、限定であることを意図するものではない。
【００３０】
特定の実施形態において、方法３００は、一つ以上の処理デバイス（例えば、デジタルプロセッサ、アナログプロセッサ、情報を処理するように設計されたデジタル回路、情報を処理するように設計されたアナログ回路、状態機械、および／または情報を電子的に処理するための他の機構）において実行され得る。一つ以上の処理装置は、電子記憶媒体に電子的に記憶された命令に応答して、方法３００の動作の一部または全部を実行する１つ以上のデバイスを含むことができる。一つ以上の処理装置は、方法３００の動作のうちの１つ以上の実行のために特に設計されるハードウェア、ファームウェア、および／またはソフトウェアを通して構成された一つ以上のデバイスを備えることができる。
【００３１】
操作３０２で、本体は、植物の周辺または近くに設置されている。本体は、２つの螺旋状に巻かれた交絡ランナー、導電性ワイヤ、および電流源を備える。ランナーは、ランナーあたり少なくとも２回の完全な回転で配置されており、ここで、第１ランナーは、ストラットによって第２ランナーに結合されている。ワイヤは、第１ランナーによって保持される。電流源は、ワイヤの二本のリード線と電気的に結合して、前記第１ランナーに沿ってワイヤを通る電流をもたらすように配置されている。１つの実施形態において、動作３０２は、システム１０のユーザによって行われる（図１および上述に示される）。
【００３２】
操作３０４において、本体内およびその近傍に配置された植物の成長促進を引き起こす電磁場が本体内およびその近傍に作られるように電流をワイヤに供給する。１つの実施形態において、動作３０４は、電流源１１（図１および上述に示される）と類似または実質的に同じ電流源によって行われる。
【００３３】
本発明は、最も実用的かつ好ましい実施形態であると現在考えられるものに基づいて例示の目的で詳細に記載されているが、そのような詳細は単にその目的のためであり、本発明は開示された実施形態に限定されず、逆に、添付の特許請求の範囲の精神および範囲内にある修正版および均等な構成をカバーすることを意図していることが理解されるべきである。例えば、本発明は、可能な限り、任意の実施形態の１つ以上の特徴が、任意の他の実施形態の１つ以上の特徴と組み合わせることができることを意図することが理解されるべきである。
【図１】
2015508637.tif 000003
【図２】
2015508637.tif 000004
【図３】
2015508637.tif 000005
【図４】
2015508637.tif 000006
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
植物の成長を促進するための電気システムであって、該システムは、
１ランナー当たり少なくとも２回の完全な回転で配置された２本の螺旋状に巻かれた交絡ランナーを含む本体であって、ここで、第１ランナーがストラットによって第２ランナーに結合されており、該本体は、重心を有する円環状形状に配置されており、該本体は、植物の周りまたは近傍に設置されている、本体と；
該第１ランナーによって保持される第１ワイヤであって、該第１ワイヤが導電性であり、そして該第１ワイヤは、該第１ワイヤが該第１ランナーと一致する軸を有する螺旋形状に配置されるように該本体の該第１ランナーの周りに螺旋状に巻かれている、第１ワイヤと；
該第１ワイヤの２本のリード線と電気的に結合して、該第１ランナーに沿って該第１ワイヤを通る第１電流をもたらすように配置された電流源であって、ここで、該電流源は、該本体の円環状形状の重心内または該重心近傍に配置された該植物の成長を促進する電磁場が該本体内または該本体近傍に作られるように、該第１ワイヤを通る該第１電流をもたらすように構成されている、電流源と、
を備える、システム。
【請求項２】
前記第１ワイヤが前記第２ランナーによってさらに保持されており、ここで、該第１ワイヤは、前記第１ランナーおよび該第２ランナーの両方の周りに螺旋状に巻かれている、請求項１に記載のシステム。
【請求項３】
前記本体の前記第１ランナーが非導電性材料から作製される、請求項１に記載のシステム。
【請求項４】
前記第１ワイヤを通る前記第１電流が交流電流であるように前記電流源が構成されており、ここで、該交流電流が０Ｈｚから２０ｋＨｚまでの間の周波数を有し、そして該交流電流が約２５０ｍＡ未満である、請求項１に記載のシステム。
【請求項５】
前記第１ワイヤを通る前記第１電流が、ヒトの聴覚知覚感度の範囲内の周波数を有する交流電流であるように前記電流源が構成されている、請求項１に記載のシステム。
【請求項６】
約１２Ｖの根平均平方電圧が前記第１ワイヤの前記２本のリード線に供給されるように前記電流源が構成されている、請求項１に記載のシステム。
【請求項７】
前記第２ランナーによって保持される第２ワイヤをさらに備え、ここで、該第２ワイヤは導電性であり、該第２ワイヤの２本のリード線と電気的に結合して、該第２ランナーに沿って該第２ワイヤを通る第２電流をもたらすように該第２電流源が配置されており、前記電磁場が変更されるように該第２ワイヤを通る該第２電流をもたらすように該第２電流源が構成されている、請求項１に記載のシステム。
【請求項８】
前記第２ワイヤが前記第２ランナーと一致する軸を有する螺旋形状に配置されるように、前記第２ワイヤが前記本体の該第２ランナーの周りに螺旋状に巻かれている、請求項７に記載のシステム。
【請求項９】
前記第２電流源は、前記電流源と同じである、請求項７に記載のシステム。
【請求項１０】
前記第１電流と前記第２電流とが同じ方向に流れる、請求項７に記載のシステム。
【請求項１１】
前記第１電流と前記第２電流とが異なる方向に流れる、請求項７に記載のシステム。
【請求項１２】
前記植物は、沈んだ状態で繁殖する植物を含み、前記システムは、その中に植物を沈める流体を収容するように構成されたタンクをさらに備え、ここで、前記本体は、作られた電磁場が該タンク内に収容された該流体内の植物の成長を促進するように、該タンク内または該タンク近傍に配置される、請求項１に記載のシステム。
【請求項１３】
植物の成長を促進するための方法であって、該方法は、
植物の周りまたは近傍に本体を設置することであって、該本体は、重心を有する円環状形状に配置されており、該本体は、
１ランナー当たり少なくとも２回の完全な回転に配置された２本の螺旋状に巻かれた交絡ランナーであって、第１ランナーがストラットによって第２ランナーに結合されている、交絡ランナーと；
該第１ランナーによって保持される第１ワイヤであって、該第１ワイヤが導電性であり、そして該第１ワイヤは、該第１ワイヤが該第１ランナーと一致する軸を有する螺旋形状に配置されるように該本体の該第１ランナーの周りに螺旋状に巻かれている、第１ワイヤと；
該第１ワイヤの２本のリード線と電気的に結合して、第１ランナーに沿って該第１ワイヤを通る第１電流をもたらすように配置された電流源と；
を備える、ことと；
該本体の該円環状形状の重心内または該重心近傍に配置された該植物の成長促進を引き起こす電磁場が該本体内および該本体近傍に作られるように該第１ワイヤに該第１電流を供給することと
を含む、方法。
【請求項１４】
前記本体の前記第１ワイヤは、前記本体の前記第２ランナーによってさらに保持されており、ここで、該第１ワイヤは、前記第１ランナーおよび該第２ランナーの両方の周りに螺旋状に巻かれている、請求項１３に記載の方法。
【請求項１５】
前記第１ワイヤを通る前記第１電流が交流電流であるように前記電流源が構成されておりここで、該交流電流は、０Ｈｚから２０ｋＨｚまでの間の周波数を有する、請求項１３に記載の方法。
【請求項１６】
前記本体は、前記第２ランナーによって保持される第２ワイヤをさらに備えており、ここで、該第２ワイヤは、導電性であり、前記電流源は、該第２ワイヤの２本のリード線と電気的に結合して、前記電磁場が変更されるように該第２ランナーに沿って該第２ワイヤを通る第２電流をもたらすようにさらに構成されている、請求項１３に記載の方法。
【請求項１７】
前記電磁場が変更されるように、前記第２ワイヤに前記第２電流を供給することをさらに含み、
ここで、前記第１電流と該第２電流とは、同じ方向に流れる交流電流である、請求項１６に記載の方法。
【請求項１８】
前記電磁場が変更されるように、前記第２ワイヤに前記第２電流を供給することをさらに含み、
ここで、前記第１電流と該第２電流とは、異なる方向に流れる交流電流である、請求項１６に記載の方法。
【請求項１９】
前記植物は、有意な電磁場を欠く成長条件下で典型的な成長速度を有し、ここで、前記成長の促進は、該典型的な成長速度よりも速い成長速度を含む、請求項１３に記載の方法。
【請求項２０】
前記植物は、有意な電磁場を欠く成長条件下で典型的な最大増殖レベルを有し、ここで、前記成長の促進は、該典型的な最大増殖レベルよりも大きい最大増殖レベルを含む、請求項１３に記載の方法。
【請求項２１】
前記植物は、有意な電磁場を欠く成長条件下で典型的な最大収率を有し、ここで、前記成長の促進は、該典型的な最大収率よりも大きい最大収率を含む、請求項１３に記載の方法。
【手続補正２】
【補正対象書類名】明細書
【補正対象項目名】０００６
【補正方法】変更
【補正の内容】
【０００６】
本開示のこれらおよび他の目的、特性、および特徴、並びに構造の関連する構成要素の動作および機能の方法、および製造の部材および経済の組合せは、添付図面を参照して以下の説明および添付の特許請求の範囲を考慮するとより明らかになるであろう。これらのすべては本明細書の一部を形成し、ここで、同様の参照番号は、様々な図面において対応する部材を示す。しかし、図面は例示および説明のみを目的とし、何らかの限定の定義であることは意図されないことが明確に理解されるべきである。明細書および請求項において使用される場合、単数形の「ａ」、「ａｎ」および「ｔｈｅ」は、文脈がそうでないことを明確に指示しない限り、複数の指示対象を含む。
特定の実施形態では、例えば以下が提供される：
（項目１）
植物の成長を促進するための電気システムであって、該システムは、
１ランナー当たり少なくとも２回の完全な回転で配置された２本の螺旋状に巻かれた交絡ランナーを含む本体であって、ここで、第１ランナーがストラットによって第２ランナーに結合されており、該本体は、外周を有し、該本体は、植物の周りまたは近傍に設置されている、本体と；
該第１ランナーによって保持される第１ワイヤであって、該第１ワイヤが導電性である、第１ワイヤと；
該第１ワイヤの２本のリード線と電気的に結合して、該第１ランナーに沿って該第１ワイヤを通る第１電流をもたらすように配置された電流源であって、ここで、該電流源は、該本体の外周内または該本体の外周近傍に配置された該植物の成長を促進する電磁場が該本体内または該本体近傍に作られるように、該第１ワイヤを通る該第１電流をもたらすように構成されている、電流源と、
を備える、システム。
（項目２）
前記第１ワイヤが前記第２ランナーによってさらに保持されており、ここで、該第１ワイヤは、前記第１ランナーおよび該第２ランナーの両方の周りに螺旋状に巻かれている、項目１に記載のシステム。
（項目３）
前記第１ワイヤが前記第１ランナーと一致する軸を有する螺旋形状に配置されるように前記第１ワイヤが前記本体の前記第１ランナーの周りに螺旋状に巻かれている、項目１に記載のシステム。
（項目４）
前記第１ワイヤを通る前記第１電流が交流電流であるように前記電流源が構成されており、ここで、該交流電流が０Ｈｚから２０ｋＨｚまでの間の周波数を有し、そして該交流電流が約２５０ｍＡ未満である、項目１に記載のシステム。
（項目５）
前記第１ワイヤを通る前記第１電流が、ヒトの聴覚知覚感度の範囲内の周波数を有する交流電流であるように前記電流源が構成されている、項目１に記載のシステム。
（項目６）
約１２Ｖの根平均平方電圧が前記第１ワイヤの前記２本のリード線に供給されるように前記電流源が構成されている、項目１に記載のシステム。
（項目７）
前記第２ランナーによって保持される第２ワイヤをさらに備え、ここで、該第２ワイヤは導電性であり、該第２ワイヤの２本のリード線と電気的に結合して、該第２ランナーに沿って該第２ワイヤを通る第２電流をもたらすように該第２電流源が配置されており、前記電磁場が変更されるように該第２ワイヤを通る該第２電流をもたらすように該第２電流源が構成されている、項目１に記載のシステム。
（項目８）
前記第２ワイヤが前記第２ランナーと一致する軸を有する螺旋形状に配置されるように、前記第２ワイヤが前記本体の該第２ランナーの周りに螺旋状に巻かれている、項目７に記載のシステム。
（項目９）
前記第２電流源は、前記電流源と同じである、項目７に記載のシステム。
（項目１０）
前記第１電流と前記第２電流とが同じ方向に流れる、項目７に記載のシステム。
（項目１１）
前記第１電流と前記第２電流とが異なる方向に流れる、項目７に記載のシステム。
（項目１２）
前記植物は、沈んだ状態で繁殖する植物を含み、前記システムは、その中に植物を沈める流体を収容するように構成されたタンクをさらに備え、ここで、前記本体は、作られた電磁場が該タンク内に収容された該流体内の植物の成長を促進するように、該タンク内または該タンク近傍に配置される、項目１に記載のシステム。
（項目１３）
植物の成長を促進するための方法であって、該方法は、
植物の周りまたは近傍に本体を設置することであって、該本体は、
１ランナー当たり少なくとも２回の完全な回転に配置された２本の螺旋状に巻かれた交絡ランナーであって、第１ランナーがストラットによって第２ランナーに結合されている、交絡ランナーと；
該第１ランナーによって保持される第１ワイヤであって、該第１ワイヤが導電性である、第１ワイヤと；
該第１ワイヤの２本のリード線と電気的に結合して、第１ランナーに沿って該第１ワイヤを通る第１電流をもたらすように配置された電流源と；
を備える、ことと；
該本体内または該本体近傍に配置された該植物の成長促進を引き起こす電磁場が該本体内および該本体近傍に作られるように該第１ワイヤに該第１電流を供給することと
を含む、方法。
（項目１４）
前記本体の前記第１ワイヤは、前記本体の前記第２ランナーによってさらに保持されており、ここで、該第１ワイヤは、前記第１ランナーおよび該第２ランナーの両方の周りに螺旋状に巻かれている、項目１３に記載の方法。
（項目１５）
前記第１ワイヤを通る前記第１電流が交流電流であるように前記電流源が構成されておりここで、該交流電流は、０Ｈｚから２０ｋＨｚまでの間の周波数を有する、項目１３に記載の方法。
（項目１６）
前記本体は、前記第２ランナーによって保持される第２ワイヤをさらに備えており、ここで、該第２ワイヤは、導電性であり、前記電流源は、該第２ワイヤの２本のリード線と電気的に結合して、前記電磁場が変更されるように該第２ランナーに沿って該第２ワイヤを通る第２電流をもたらすようにさらに構成されている、項目１３に記載の方法。
（項目１７）
前記電磁場が変更されるように、前記第２ワイヤに前記第２電流を供給することをさらに含み、
ここで、前記第１電流と該第２電流とは、同じ方向に流れる交流電流である、項目１６に記載の方法。
（項目１８）
前記電磁場が変更されるように、前記第２ワイヤに前記第２電流を供給することをさらに含み、
ここで、前記第１電流と該第２電流とは、異なる方向に流れる交流電流である、項目１６に記載の方法。
（項目１９）
前記植物は、有意な電磁場を欠く成長条件下で典型的な成長速度を有し、ここで、前記成長の促進は、該典型的な成長速度よりも速い成長速度を含む、項目１３に記載の方法。
（項目２０）
前記植物は、有意な電磁場を欠く成長条件下で典型的な最大増殖レベルを有し、ここで、前記成長の促進は、該典型的な最大増殖レベルよりも大きい最大増殖レベルを含む、項目１３に記載の方法。
（項目２１）
前記植物は、有意な電磁場を欠く成長条件下で典型的な最大収率を有し、ここで、前記成長の促進は、該典型的な最大収率よりも大きい最大収率を含む、項目１３に記載の方法。
【国際調査報告】
2015508637.tif 000007